(57)【特許請求の範囲】
【請求項１】
コミックの１ページ毎に対応する画像ファイルであって、ページ全体の高解像度の画像を有する画像ファイルと、前記コミックの１ページ毎又は全ページに対応する情報ファイルであって、ページ内の各コマのコマ領域情報を含むコマ情報が記述された情報ファイルとにより構成された電子コミックのマスタデータを取得するデータ取得手段と、
前記データ取得手段により取得したマスタデータ内の画像ファイルに基づいて画像を表示手段に表示させるとともに、前記マスタデータ内の情報ファイルに含まれるコマ領域情報に基づいてコマ境界を前記画像上に重畳して表示させる表示制御手段と、
前記表示手段に表示された画像上の位置を指示する指示手段と、
前記指示手段により指示された位置に新たなコマ境界を追加するコマ追加手段と、
前記指示手段により指示された位置のコマ境界を削除するコマ削除手段と、
前記コマ追加手段により追加されたコマ境界又は前記コマ削除手段により削除されたコマ境界に基づいて前記情報ファイルに含まれるコマ領域情報を更新する編集手段と、
を備えた電子コミック編集装置。
【請求項２】
前記指示手段により前記画像上の任意の位置が指示されると、その指示された位置近傍のコマ境界候補を自動的に抽出するコマ境界抽出手段を備え、
前記表示制御手段は、前記コマ境界抽出手段により抽出されたコマ境界候補を、前記画像上に他のコマ境界と識別可能に表示させる請求項１に記載の電子コミック編集装置。
【請求項３】
前記コマのコマ領域情報は、各コマを囲む多角形のコマ境界の各頂点の座標データ、コマ境界を示すベクトルデータ、又は各コマのコマ領域を示すマスクデータである請求項１又は２に記載の電子コミック編集装置。
【請求項４】
前記コマ追加手段は、前記指示手段により指示したコマ境界上の位置に頂点の座標データを追加する請求項３に記載の電子コミック編集装置。
【請求項５】
前記コマ削除手段は、前記指示手段により指示したコマ境界上の頂点の座標データを削除する請求項３又は４に記載の電子コミック編集装置。
【請求項６】
前記指示手段により指示されたコマ境界の位置又は形状を修正する指示入力を受け付け、前記受け付けた指示入力に応じてコマ境界を修正するコマ境界修正手段を備え、
前記編集手段は、前記コマ境界修正手段により修正されたコマ境界により前記情報ファイルに含まれるコマ領域情報を更新する請求項１から５のいずれか１項に記載の電子コミック編集装置。
【請求項７】
前記コマ情報は、前記ページ内の各コマの読み順を示すコマ順序情報を含み、
前記表示制御手段は、前記コマ順序情報に基づいて各コマの読み順を示すコマ順序を前記画像上の各コマに重畳して表示させる請求項１から６のいずれか１項に記載の電子コミック編集装置。
【請求項８】
前記編集手段は、前記コマ追加手段によりコマが追加され、又は前記コマ削除手段によりコマが削除されると、前記コマの追加又は削除に基づいて前記コマ順序情報を編集する請求項７に記載の電子コミック編集装置。
【請求項９】
前記指示手段により指示されたコマのコマ順序を修正する指示入力を受け付け、前記受け付けた指示入力に応じて前記コマ順序情報を修正するコマ順序修正手段を更に備えた請求項７又は８に記載の電子コミック編集装置。
【請求項１０】
前記ページ全体の高解像度の画像を有する画像ファイルを取得する画像取得手段と、
前記画像取得手段により取得したページ全体の画像を解析し、該ページ内の各コマのコマ領域を自動的に抽出するコマ領域抽出手段と、
前記コマ領域抽出手段により抽出したコマ領域を示すコマ領域情報を含むコマ情報が記述された情報ファイルを作成する情報ファイル作成手段と、
前記画像取得手段により取得した前記コミックのページ毎の画像ファイルと、前記情報ファイル作成手段により作成された前記コミックのページ毎又は全ページに対応する情報ファイルとから構成される前記電子コミックのマスタデータを作成するマスタデータ作成手段と、を備え、
前記データ取得手段は、前記マスタデータ作成手段により作成されたマスタデータを取得する請求項１から９のいずれか１項に記載の電子コミック編集装置。
【請求項１１】
前記表示制御手段は、前記指示手段によりコマ境界が指示されると、その指示されたコマ境界を他のコマ境界と識別可能に表示させる請求項１から１０のいずれか１項に記載の電子コミック編集装置。
【請求項１２】
コミックの１ページ毎に対応する画像ファイルであって、ページ全体の高解像度の画像を有する画像ファイルと、前記コミックの１ページ毎又は全ページに対応する情報ファイルであって、ページ内の各コマのコマ領域情報を含むコマ情報が記述された情報ファイルとにより構成された電子コミックのマスタデータを取得するデータ取得工程と、
前記データ取得工程により取得したマスタデータ内の画像ファイルに基づいて画像を表示手段に表示させるとともに、前記マスタデータ内の情報ファイルに含まれるコマ領域情報に基づいてコマ境界を前記画像上に重畳して表示させる表示制御工程と、
前記表示手段に表示された画像上の位置を指示する指示工程と、
前記指示工程により指示された位置に新たなコマ境界を追加するコマ追加工程と、
前記指示工程により指示された位置のコマ境界を削除するコマ削除工程と、
前記コマ追加工程により追加されたコマ境界又は前記コマ削除工程により削除されたコマ境界に基づいて前記情報ファイルに含まれるコマ領域情報を更新する編集工程と、
を含む電子コミック編集方法。
【請求項１３】
コミックの１ページ毎に対応する画像ファイルであって、ページ全体の高解像度の画像を有する画像ファイルと、前記コミックの１ページ毎又は全ページに対応する情報ファイルであって、ページ内の各コマのコマ領域情報を含むコマ情報が記述された情報ファイルとにより構成された電子コミックのマスタデータを取得するデータ取得機能と、
前記データ取得機能により取得したマスタデータ内の画像ファイルに基づいて画像を表示手段に表示させるとともに、前記マスタデータ内の情報ファイルに含まれるコマ領域情報に基づいてコマ境界を前記画像上に重畳して表示させる表示制御機能と、
前記表示手段に表示された画像上の位置を指示する指示機能と、
前記指示機能により指示された位置に新たなコマ境界を追加するコマ追加機能と、
前記指示機能により指示された位置のコマ境界を削除するコマ削除機能と、
前記コマ追加機能により追加されたコマ境界又は前記コマ削除機能により削除されたコマ境界に基づいて前記情報ファイルに含まれるコマ領域情報を更新する編集機能と、
をコンピュータにより実現させる電子コミック編集プログラム。
【発明の詳細な説明】
【技術分野】
【０００１】
本発明は電子コミック編集装置、方法及びプログラムに係り、特にマンガコンテンツを電子化する技術に関する。
【背景技術】
【０００２】
特許文献１には、ディジタル漫画画像の実質的に閉じた線分に基づいてコマ枠を検出する漫画編集支援装置が開示されている。また、特許文献１には、ユーザから特定の線分が指定された場合に、その線分を含むコマ枠を検出することも開示されている。
【０００３】
特許文献２には、漫画原稿からコマの枠を自動判定する画像群編集装置が開示されている。また、特許文献２には、コマ枠の位置、拡縮率、スクロール設定の各データの保存を行い、更なる漫画原稿の編集を行う場合や、携帯電話用の自動的なフォーマット変換を行う場合に利用することが開示されている。
【０００４】
特許文献３には、コマを移動させたり、コマの大きさ、形を変えたりする操作により、コマ割を修正する漫画作成支援装置が開示されている。
【先行技術文献】
【特許文献】
【０００５】
【特許文献１】特開２００４−７８９２３号公報
【特許文献２】特開２０１０−１２９０６８号公報
【特許文献３】特開２００８−８４３４８号公報
【発明の概要】
【発明が解決しようとする課題】
【０００６】
しかしながら、特許文献１、２に記載の発明は、自動的に検出されたコマ枠を編集することができないという問題がある。例えば、自動的に検出されたコマ枠が基のコンテンツコマ枠と異なる場合に、基のコンテンツのコマ枠と一致するようにコマ枠を編集することができない。
【０００７】
特許文献３に記載の発明には、コマ枠の修正という概念は開示されているが、どのような場合にどうやってコマ枠を修正するかという点は記載されていない。また、特許文献３に記載の発明は、漫画作成支援装置が生成したコマ枠を修正するものであり、マンガコンテンツを電子化する時に用いられる技術ではない。
【０００８】
本発明はこのような事情に鑑みてなされたもので、マンガコンテンツを電子化する場合に、自動的にコマを検出した結果を確認することができ、確認した結果に基づいてコマ検出結果を簡単に編集することができる電子コミック編集装置、方法及びプログラムを提供することを目的とする。
【課題を解決するための手段】
【０００９】
前記目的を達成するために本発明の一の態様に係る電子コミック編集装置は、コミックの１ページ毎に対応する画像ファイルであって、ページ全体の高解像度の画像を有する画像ファイルと、前記コミックの１ページ毎又は全ページに対応する情報ファイルであって、ページ内の各コマのコマ領域情報を含むコマ情報が記述された情報ファイルとにより構成された電子コミックのマスタデータを取得するデータ取得手段と、前記データ取得手段により取得したマスタデータ内の画像ファイルに基づいて画像を表示手段に表示させるとともに、前記マスタデータ内の情報ファイルに含まれるコマ領域情報に基づいてコマ境界を前記画像上に重畳して表示させる表示制御手段と、前記表示手段に表示された画像上の位置を指示する指示手段と、前記指示手段により指示された位置に新たなコマ境界を追加するコマ追加手段と、前記指示手段により指示された位置のコマ境界を削除するコマ削除手段と、前記コマ追加手段により追加されたコマ境界又は前記コマ削除手段により削除されたコマ境界に基づいて前記情報ファイルに含まれるコマ領域情報を更新する編集手段と、を備えている。
【００１０】
本発明の一の態様によれば、コミックの１ページ毎に対応する画像ファイルであって、ページ全体の高解像度の画像を有する画像ファイルと、前記コミックの１ページ毎又は全ページに対応する情報ファイルであって、ページ内の各コマのコマ領域情報を含むコマ情報が記述された情報ファイルとにより構成された電子コミックのマスタデータを適宜編集することができ、特にページ内のコマを区分するコマ境界を追加又は削除することによりコマの検出結果を修正し、これにより前記情報ファイルに含まれるコマ領域情報を編集（更新）できるようにしている。即ち、編集者は、前記表示手段に表示される画像上に重畳して表示されたコマ境界を視認することにより、現在のコマ領域情報（コマ割り）を確認することができる。そして、コマを追加又は削除する編集を行う場合には、前記指示手段により指示した位置に新たなコマ境界を追加する指示、又は前記指示手段により指示された位置のコマ境界を削除する指示を行うことにより、簡単にコマ境界の追加、又は削除を行うことができ、この追加又は削除したコマ境界に基づいて前記情報ファイルに含まれるコマ領域情報を更新できるようにしている。
【００１１】
本発明の他の態様に係る電子コミック編集装置において、前記指示手段により前記画像上の任意の位置が指示されると、その指示された位置近傍のコマ境界候補を自動的に抽出するコマ境界抽出手段を備え、前記表示制御手段は、前記コマ境界抽出手段により抽出されたコマ境界候補を、前記画像上に他のコマ境界と識別可能に表示させることが好ましい。前記コマ境界抽出手段は、前記指示手段により指示された位置近傍のコマ境界候補（例えば、直線部分）を画像から自動検出し、前記表示制御手段は、前記コマ境界抽出手段により抽出されたコマ境界候補を、前記画像上に他のコマ境界と識別可能に表示させるようにしている。これにより、簡単な操作でコマ境界を追加することが可能になる。
【００１２】
本発明の更に他の態様に係る電子コミック編集装置において、前記コマのコマ領域情報は、各コマを囲む多角形のコマ境界の各頂点の座標データ、コマ境界を示すベクトルデータ、又は各コマのコマ領域を示すマスクデータである。
【００１３】
本発明の更に他の態様に係る電子コミック編集装置において、前記コマ追加手段は、前記指示手段により指示したコマ境界上の位置に頂点の座標データを追加するようにしている。
【００１４】
本発明の更に他の態様に係る電子コミック編集装置において、前記コマ削除手段は、前記指示手段により指示したコマ境界上の頂点の座標データを削除するようにしている。
【００１５】
本発明の更に他の態様に係る電子コミック編集装置において、前記指示手段により指示されたコマ境界の位置又は形状を修正する指示入力を受け付け、前記受け付けた指示入力に応じてコマ境界を修正するコマ境界修正手段を備え、前記編集手段は、前記コマ境界修正手段により修正されたコマ境界により前記情報ファイルに含まれるコマ領域情報を更新することが好ましい。これにより、コマの追加や削除だけでなく、コマの大きさ、形状も編集することができる。
【００１６】
本発明の更に他の態様に係る電子コミック編集装置において、前記コマ情報は、前記ページ内の各コマの読み順を示すコマ順序情報を含み、前記表示制御手段は、前記コマ順序情報に基づいて各コマの読み順を示すコマ順序を前記画像上の各コマに重畳して表示させることが好ましい。これにより、編集者は、コマ情報に含まれるコマ順序情報が正しいか否かを確認することができる。
【００１７】
本発明の更に他の態様に係る電子コミック編集装置において、前記編集手段は、前記コマ追加手段によりコマが追加され、又は前記コマ削除手段によりコマが削除されると、前記コマの追加又は削除に基づいて前記コマ順序情報を編集することが好ましい。編集によりコマが追加又は削除され、コマ順序が変更する場合には、コマ順序情報を自動的に編集するようにしている。
【００１８】
本発明の更に他の態様に係る電子コミック編集装置において、前記指示手段により指示されたコマのコマ順序を修正する指示入力を受け付け、前記受け付けた指示入力に応じて前記コマ順序情報を修正するコマ順序修正手段を更に備えることが好ましい。これにより、コマ順序情報が誤っている場合に、そのコマ順序情報を修正することができる。
【００１９】
本発明の更に他の態様に係る電子コミック編集装置において、前記ページ全体の高解像度の画像を有する画像ファイルを取得する画像取得手段と、前記画像取得手段により取得したページ全体の画像を解析し、該ページ内の各コマのコマ領域を自動的に抽出するコマ領域抽出手段と、前記コマ領域抽出手段により抽出したコマ領域を示すコマ領域情報を含むコマ情報が記述された情報ファイルを作成する情報ファイル作成手段と、前記画像取得手段により取得した前記コミックのページ毎の画像ファイルと、前記情報ファイル作成手段により作成された前記コミックのページ毎又は全ページに対応する情報ファイルとから構成される前記電子コミックのマスタデータを作成するマスタデータ作成手段と、を備え、前記データ取得手段は、前記マスタデータ作成手段により作成されたマスタデータを取得するようにしている。
【００２０】
コマ情報等を全て手作業で入力する場合には、膨大な作業量が必要になるが、自動的にマスタデータを作成することにより、効率的にマスタデータを作成することができる。尚、マスタデータを自動的に作成する場合、前記情報ファイルに記述されるコマ情報が誤ることが多くなるが、本発明によれば、その誤ったコマ情報を容易に修正することができる。
【００２１】
本発明の更に他の態様に係る電子コミック編集装置において、前記表示制御手段は、前記指示手段によりコマ境界が指示されると、その指示されたコマ境界を他のコマ境界と識別可能に表示させることが好ましい。これにより、編集対象のコマ境界を容易に確認することができる。
【００２２】
本発明の更に他の態様に係る電子コミック編集方法は、コミックの１ページ毎に対応する画像ファイルであって、ページ全体の高解像度の画像を有する画像ファイルと、前記コミックの１ページ毎又は全ページに対応する情報ファイルであって、ページ内の各コマのコマ領域情報を含むコマ情報が記述された情報ファイルとにより構成された電子コミックのマスタデータを取得するデータ取得工程と、前記データ取得工程により取得したマスタデータ内の画像ファイルに基づいて画像を表示手段に表示させるとともに、前記マスタデータ内の情報ファイルに含まれるコマ領域情報に基づいてコマ境界を前記画像上に重畳して表示させる表示制御工程と、前記表示手段に表示された画像上の位置を指示する指示工程と、前記指示工程により指示された位置に新たなコマ境界を追加するコマ追加工程と、前記指示工程により指示された位置のコマ境界を削除するコマ削除工程と、前記コマ追加工程により追加されたコマ境界又は前記コマ削除工程により削除されたコマ境界に基づいて前記情報ファイルに含まれるコマ領域情報を更新する編集工程と、を含んでいる。
【００２３】
本発明の更に他の態様に係る電子コミック編集プログラムは、コミックの１ページ毎に対応する画像ファイルであって、ページ全体の高解像度の画像を有する画像ファイルと、前記コミックの１ページ毎又は全ページに対応する情報ファイルであって、ページ内の各コマのコマ領域情報を含むコマ情報が記述された情報ファイルとにより構成された電子コミックのマスタデータを取得するデータ取得機能と、前記データ取得機能により取得したマスタデータ内の画像ファイルに基づいて画像を表示手段に表示させるとともに、前記マスタデータ内の情報ファイルに含まれるコマ領域情報に基づいてコマ境界を前記画像上に重畳して表示させる表示制御機能と、前記表示手段に表示された画像上の位置を指示する指示機能と、前記指示機能により指示された位置に新たなコマ境界を追加するコマ追加機能と、前記指示機能により指示された位置のコマ境界を削除するコマ削除機能と、前記コマ追加機能により追加されたコマ境界又は前記コマ削除機能により削除されたコマ境界に基づいて前記情報ファイルに含まれるコマ領域情報を更新する編集機能と、をコンピュータにより実現させるものである。
【発明の効果】
【００２４】
本発明によれば、マンガコンテンツを電子化する場合に、自動的にコマを検出した結果を確認することができ、確認した結果に基づいてコマ検出結果を簡単に編集することができる。
【図面の簡単な説明】
【００２５】
【図１】本発明に係るコンテンツ配信システムの構成を示す図
【図２】マスタデータ生成のフローチャート
【図３】コンテンツ画像の一例
【図４】モニタ表示の一例
【図５】コンテンツ画像から自動的にコマを検出した結果を示す図
【図６】図５に示すコマ検出結果を修正した結果を示す図
【図７】コンテンツ画像から自動的にコマを検出した結果を示す図
【図８】図７に示すコマ検出結果を修正した結果を示す図
【図９】コマ境界の修正について説明する図
【図１０】コンテンツ画像から自動的に吹き出しを抽出した結果を示す図
【図１１】図１０に示す吹き出し抽出結果を修正した結果を示す図
【図１２】コンテンツ画像から自動的に吹き出しを抽出した結果を示す図
【図１３】図１２に示す吹き出し抽出結果を修正した結果を示す図
【図１４】コンテンツ画像から自動的に吹き出しを抽出した結果を示す図
【図１５】吹き出しの抽出を説明する図
【図１６】吹き出しの抽出を説明する図
【図１７】吹き出しの抽出を説明する図
【図１８】吹き出しの抽出を説明する図
【図１９】吹き出しの抽出を説明する図
【図２０】コンテンツ画像から自動的にテキストを抽出した結果を示す図
【図２１】図２０に示すテキスト抽出結果を修正した結果を示す図
【図２２】コンテンツ画像から自動的に関心領域を抽出した結果を示す図
【図２３】図２０に示す関心領域抽出結果を修正した結果を示す図
【図２４】吹き出しと関心領域とのペアリングを説明する図
【図２５】吹き出しと関心領域とのペアリングを説明する図
【図２６】情報ファイルの構造の模式図
【図２７】マスタデータ編集時のモニタ画面の一例
【図２８】マスタデータ編集時のモニタ画面の一例
【図２９】マスタデータ編集時のモニタ画面の一例
【図３０】プレビュー画面の一例
【発明を実施するための形態】
【００２６】
以下、添付図面に従って本発明に係る電子コミック編集装置、方法及びプログラムの実施の形態について説明する。
【００２７】
［コンテンツ配信システムの構成］
図１は本発明の好ましい実施形態に係るコンテンツ配信システムの構成を示す。このシステムは、サーバ１と電子書籍ビューワ２とを含む。サーバ１は、演算装置（ＣＰＵ）、記憶装置、入出力回路などを備えたコンピュータ（情報処理装置）で構成される。
【００２８】
電子書籍ビューワ２は、画像を再生可能な表示手段、通信手段、演算装置（ＣＰＵ）、記憶装置、入出力回路、操作手段、音声を再生可能な音声再生手段などを備えた情報端末であり、例えば、スマートフォンやタブレット型コンピュータで構成される。なお、サーバ１にアクセスする電子書籍ビューワ２は不特定多数であってもよいものとする。
【００２９】
具体的には、サーバ１は、オーサリング部１０、データベース（ＤＢ）１１、操作部１２、入出力部１３、スキャナ１４、モニタ１５を備える。
【００３０】
オーサリング部１０は、ＣＰＵなどの情報処理装置及び電子コミック編集プログラム等が格納されている記憶部により構成され、電子コミック編集プログラムに従って各種の情報処理を行う。ＤＢ１１は、ハードディスクやメモリなどの記憶媒体で構成される。操作部１２は、キーボード、マウス、タッチパッドなどの操作手段である。モニタ１５は、ＬＣＤなどの表示装置で構成される表示手段である。
【００３１】
オーサリング部１０は、コンテンツ画像を解析してページ情報、コマ情報、吹き出し座標、ＲＯＩ情報等の付帯情報を作成し、これらを紐付けた電子書籍用のマスタデータを生成する。また、オーサリング部１０は、電子書籍ビューワ２毎に最適化されたデータをマスタデータから生成する。オーサリング部１０の詳細については後に詳述する。
【００３２】
ＤＢ１１は、ページ番号に対応づけられたコンテンツ画像とその付帯情報を所定のファイル形式で格納するコンテンツファイルを蓄積する。コンテンツ画像は、スキャナ１４などでオリジナルコンテンツを電子データ化したものである。オリジナルコンテンツは、マンガ、新聞、週刊誌の記事、オフィス文書（プレゼンテーション文書など）、教科書、参考書など、ページ単位で組まれている。また、コンテンツ画像はページ番号と対応づけられている。
【００３３】
コンテンツ画像とその付帯情報は、ＥＰＵＢ形式で保存される。コンテンツ画像には付帯情報が記憶されていてもよい。この付帯情報は、コンテンツの作者、タイトル、総ページ数、巻の番号、エピソードの番号、版権者（出版社）などが含まれうる。
【００３４】
コンテンツ画像は、概略画像、詳細画像（高解像度データ）を含み、それぞれ、ページ、コマあるいはアンカーポイントごとに用意される。
【００３５】
コンテンツ画像に付帯する付帯情報は、操作部１２から入力された情報、オーサリング部１０の解析結果の情報、あるいは、入出力部１３を経由して入力された情報を含む。
【００３６】
電子書籍ビューワ２はスマートフォン、タブレットコンピュータなどの携帯型情報端末で構成され、画像を再生可能な表示手段、通信手段、操作検知手段、音声再生手段、情報処理装置などを備えている。
【００３７】
具体的には、電子書籍ビューワ２は、データベース（ＤＢ）２１、表示部２４、コンテンツ表示制御部２５、音声再生部２６、操作部２７、スピーカ２８、入出力部２９を備える。
【００３８】
表示部２４は、ＬＣＤなどの表示装置で構成される表示手段である。操作部２７は、タッチパネルなどで構成される操作検知手段である。好ましくは、操作部２７は、表示部２４に積層されており、表示部２４に対するシングルタップ、ダブルタップ、スワイプ、長押しなどの各種操作を検知できる。
【００３９】
音声再生部２６は、コンテンツファイルに格納された音声に関する情報（読み上げ音声に関する情報及び／又は付随音声に関する情報）を音声化してスピーカ２８から出力する回路である。
【００４０】
入出力部２９は、サーバ１の入出力部１３から出力されたコンテンツファイルを入力する手段である。典型的には、入出力部１３及び入出力部２９は、通信手段であるが、コンピュータ読み取り可能な記憶媒体に対する書き込み・読み出し手段であってもよい。
【００４１】
ＤＢ２１は、ＤＢ１１と同等の情報を格納する。すなわち、電子書籍ビューワ２が、サーバ１に電子書籍の送信を要求すると、サーバ１は、入出力部２９を介してＤＢ１１のコンテンツファイルをＤＢ２１にエクスポートし、ＤＢ２１に格納される。ただし、ＤＢ１１の情報とＤＢ２１の情報は完全に同じである必要はない。ＤＢ１１は、様々なユーザからの要求に応えるため、様々な種類のコンテンツ画像、例えば、異なる作者のマンガの各巻のコンテンツ画像を格納するライブラリである。ＤＢ２１には、電子書籍ビューワ２のユーザが閲覧したいコンテンツに関係するコンテンツファイルのみが格納されていれば足りる。
【００４２】
コンテンツ表示制御部２５は、表示部２４に対するコンテンツの表示制御を行う。
【００４３】
［コンテンツ配信システムの動作］
（Ａ）マスタデータ生成処理
図２は、オーサリング部１０がマスタデータを生成する処理の流れを示すフローチャートである。
【００４４】
オーサリング部１０は、コンテンツ画像を取得する（ステップＳ１）。取得した画像は、ＤＢ１１に記憶される。サーバ１は、マンガの各ページに対応するページ全体の画像（高解像度の画像、３０００×５０００画素又は１５００×２０００画素）を、記憶メディアやネットワークを介して取得し、あるいはマンガをスキャナ１４で読み取ることにより取得し、オーサリング部１０はこれらの方法によりサーバ１に取得されたコンテンツ画像を取得する。オーサリング部１０は、既にＤＢ１１にコンテンツ画像が記憶されている場合には、ＤＢ１１に記憶されたコンテンツ画像を取得してもよい。
【００４５】
オーサリング部１０は、ステップＳ１で取得したコンテンツ画像に対して各種情報を登録する画面である登録画面をモニタ１５に表示させる。そして、ユーザが登録画面の指示に従って、操作部１２を介して各種情報を入力すると、オーサリング部１０はそれを取得し、コンテンツ画像に関連付けてＤＢ１１に登録する（ステップＳ２）。オーサリング部１０は情報ファイルを作成し、各種情報を情報ファイルに記憶する。オーサリング部１０は、コンテンツ画像と情報ファイルとを紐付けてマスタデータを作成する。マスタデータは、ＤＢ１１に仮に記憶される。情報ファイルの形式としては、例えばＸＭＬファイルがあげられる。
【００４６】
各種情報（ページ情報）とは、コンテンツに関する情報（コンテンツ固有のタイトルＩＤ、タイトル名、著者、出版社（版権者）、出版年、言語等）、ページに関する情報、ページ名、ページＩＤの情報を含む。なお、ページに関する情報とは、コンテンツ画像が１ページか見開き２ページかを示す情報、右開き／左開き、オリジナルコンテンツの大きさ等を含む情報である。
【００４７】
ステップＳ１で図３に示すコンテンツ画像を取得した場合には、オーサリング部１０は、図４に示す登録画面をモニタ１５に表示する。登録画面は、右側にコンテンツ画像Ｇが表示され、左側に取得されたコンテンツ画像の一覧Ｌが表示される。「Index」はファイルＩＤであり、コンテンツ画像が取得されると自動的に付与される。一覧Ｌには、取得されたコンテンツ画像の情報がファイルＩＤ順に並べて表示される。登録前は、「Index」以外の欄は「０」が表示されている。
【００４８】
ユーザが操作部１２を介して「filename」、「speaking」、「Language」、「Translation」の欄を入力すると、オーサリング部１０は、入力された文字情報を一覧Ｌに表示させると共に、ＤＢ１１に記憶させる。なお、「filename」はファイル名であり、「speaking」は音声情報の有無であり、「Language」はコンテンツ画像に含まれる文字情報の言語であり、「Translation」はコンテンツ画像に含まれる文字情報の他言語への翻訳の有無である。なお、「koma」はコマ数であるが、現段階では「０」が表示されている（後で自動入力される）。
【００４９】
オーサリング部１０は、コンテンツ画像を自動解析する（ステップＳ３）。自動解析は、図４に示す登録画面において、ユーザが操作部１２を介して「Auto Koma」及び／又は「Auto Speech Balloon」のチェックボックスにチェックを入れ（選択）、ＯＫボタンＡを押すことによって行われる。本実施の形態では、「Auto Koma」及び「Auto Speech Balloon」が選択されたとして説明する。
【００５０】
「Auto Koma」が選択された場合には、オーサリング部１０は、コンテンツ画像に含まれる線の情報に基づいて自動的にコマの検出を行う。コンテンツ画像に含まれる線の情報は、例えばコンテンツ画像のコントラストが強い領域が直線的に現れている部分を線と認識することにより取得することができる。
【００５１】
「Auto Speech Balloon」が選択された場合には、オーサリング部１０は、コンテンツ画像からテキストを抽出し、テキストの周囲を囲む閉じた領域を吹き出し領域とすることにより、コンテンツ画像に含まれる吹き出しを抽出する。テキストの抽出は、オーサリング部１０に含まれる光学式文字読取装置（ＯＣＲ）により行われる。なお、ＯＣＲにより読み出されたテキストは、文字の向きに応じてソートされる。例えば、セリフが縦書きなら列の先頭から最後尾にかけてソートされ、かつ右の列から左の列にかけてソートされる。
【００５２】
なお、コマの検出や吹き出しの抽出は、マシンラーニングに基づいて行われてもよい。例えば、学習用のサンプルマンガに基づき、コマや吹き出しの外縁の検出確度、矩形以外の領域のコマや吹き出しとしての妥当性の判断閾値などを経験的に設定するようにすればよい。
【００５３】
情報ファイルには、コマに関する情報であるコマ情報が記憶され、吹き出しに関する情報である吹き出し情報が記憶され、テキストに関する情報であるテキスト情報が記憶される。
【００５４】
コマ情報はコマ領域情報を含む。コマ領域情報は、コマ領域を示す情報であり、ページに含まれるコマ数、各コマの頂点の座標、各コマの形状が含まれる。コマ領域情報は、コマ境界を示すベクトルデータであっても良いし、コマ領域を示すマスクデータであっても良い。また、コマ情報には、各コマのコマ順序（再生順）に関するコマ順序情報などがさらに含まれる。コマ順序は、例えば、右開き/左開きのページに関する情報、使用言語を示すコンテンツに関する情報、コマ領域情報から検知されるコマ割り等に基づいてページの右上から左下、左上から右下、移動方向（左右方向又は上下方向）等のいくつかのコマ順序の遷移パターンのうちから適切なパターンを選択し、その選択した遷移パターンにしたがって自動的に決定される。
【００５５】
吹き出し情報は吹き出し領域情報を含む。吹き出し領域情報は、ページ単位（又はコマ単位）の内での吹き出しの存在領域を示す情報であり、描線上の吹き出し形状に対応する複数点の位置情報（例えば座標）、吹き出しの形状（例えばベクトル情報）、吹き出しの起点（吹き出しの頂点）の位置と向き、吹き出しのサイズが含まれる。なお吹き出し領域情報は、吹き出しの全領域（範囲）を示すビットマップ情報（マスクデータ）でもよい。また、吹き出しの特定位置（中心位置）と吹き出しのサイズによって吹き出し領域情報を表してもよい。吹き出し情報には、吹き出しに含まれるテキストの情報、吹き出しの描線の属性（点線、実線など）、吹き出しの話者の識別情報、吹き出しの属するコマなどがさらに含まれる。
【００５６】
テキスト情報は、テキスト領域情報とテキストの内容に関する情報とを含む。テキスト領域情報は、描線上のテキスト領域に対応する複数点の位置情報（例えば座標）、テキスト領域の外周縁を示すベクトル情報が含まれる。なおテキスト領域情報は、テキスト領域（範囲）を示すビットマップ情報（マスクデータ）でもよい。また、テキストの内容に関する情報は、ＯＣＲにより特定されたテキスト（文章）文字属性情報、行数、行間隔、文字間隔、表示切り替え方法、使用言語、縦書き／横書き、読み方向の区別などを含む。文字属性情報には、文字サイズ（ポイント数など）、文字種別（フォント、強調文字など）がある。テキスト情報には、吹き出し内の話者の台詞が含まれる。また、吹き出し内に配置された原文の台詞に対応する各種言語の翻訳文とその使用言語（２以上の言語の翻訳文でもよい）も、このテキスト情報に含まれうる。
【００５７】
また、オーサリング部１０は、テキストと吹き出しとを紐付けた情報、吹き出し又はテキストとコマとを紐付けた情報を情報ファイルに記憶する。吹き出しの抽出時にテキストを抽出するので、テキストはそのテキストが抽出された吹き出しと紐付けられる。また、吹き出し情報に含まれる座標とコマ情報に含まれる座標とを比較することで、吹き出しがどのコマに含まれるかが判断できるため、吹き出しはその吹き出しが含まれるコマと紐付けられる。なお、テキストの周りに閉じた領域が発見できなかった場合には、コマに文字のみが含まれる場合であるため、テキストはそのテキストが含まれるコマと紐付けられる。
【００５８】
オーサリング部１０は、コマ情報、吹き出し情報、テキスト情報を情報ファイルに記憶することで、マスタデータを更新する。本ステップの処理を全て手作業で行う場合には膨大な作業量が必要になるが、このように自動的に処理を行うことにより効率的にマスタデータを作成することができる。
【００５９】
オーサリング部１０は、元のコンテンツ画像とステップＳ３で自動解析されたコンテンツ画像のコマの検出の結果とを並べてモニタ１５に表示し、操作部１２を介してコマ検出結果の補正入力を受け付け、その結果に基づいてコマ設定を行う（ステップＳ４）。
【００６０】
ステップＳ４の処理について詳細に説明する。図５は、図３に示すコンテンツ画像（ファイルＩＤ：１、ファイル名：ヤキソバ＿００３）の自動解析によるコマ検出結果である。実際は図３に示すコンテンツ画像と図５に示すコマ検出結果とが並べてモニタ１５に表示されが、図５に示すコマ検出結果のみが表示されてもよい。オーサリング部１０は、情報ファイルに基づいてコマ検出結果を表示する。コマ検出結果は、各コマの境界（以下、コマ境界という）がコントラスト画像に重ねて太点線で表示され、各コマの中央にはコマの読み順を示すコマ順序が表示される。これにより、ユーザは現在のコマ領域情報（コマ割り）及びコマ順序を確認することができる。
【００６１】
ユーザによって所定のコマが選択されると、オーサリング部１０は、そのコマのコマ境の色を他のコマ境界の色と異なる色に変更し（例えば、選択されているコマは赤線、選択されていないコマは青線）、選択されたコマに対する補正入力の受け付けを開始する。これにより、編集対象のコマをユーザが確認することができる。
【００６２】
（１）コマの増加
コマが選択された状態で、コマ内のある位置が選択されると、オーサリング部１０は、選択された位置の近傍にコマ境界を増やし、それに伴いコマ順序を更新する。ステップＳ３において線が抽出、認識されているが、それがコマ境界とされていないために発生する不具合である。コマ内のある位置が選択されると、オーサリング部１０は、選択指示が入力された位置近傍の線であって、線として認識されているがコマ境界とされていない線を抽出し、これをコマ境界とすることにより、コマ境界が追加される。
【００６３】
図５に示すコマ検出結果では、コンテンツ画像中央部のコマ順序２のコマが、実際は２コマであるにもかかわらず１コマとして認識されている。したがって、ユーザが操作部１２を介してコマ中央近傍の線Ａの近傍を選択すると、オーサリング部１０は、図６に示すように、コンテンツ画像中央部のコマをコマ順序２のコマと、コマ順序３のコマとに分割する。
【００６４】
コマの増加に伴い、オーサリング部１０は、コマ順序を修正する。この場合には、図５におけるコマ順序３のコマのコマ順序を４に変更し、図５におけるコマ順序４のコマのコマ順序を５に変更する。
【００６５】
（２）コマの削除
図７に示す例では、木Ｂの幹をコマ分割の線であると誤認識された結果、コンテンツ画像上部のコマが２つに分割されているが、実際にはコンテンツ画像上部は１コマである。図７に示す画像がモニタ１５に表示されている場合に、コマ順序１のコマ又はコマ順序２のコマが選択された状態で、ユーザが操作部１２を介してコマ順序１のコマとコマ順序２のコマとの間のコマ境界を選択すると、オーサリング部１０は、図７におけるコマ順序１のコマとコマ順序２のコマとの間のコマ境界を消し、図８に示すようにコンテンツ画像上部のコマをコマ順序１の１つのコマにする。
【００６６】
コマの削除に伴い、オーサリング部１０は、コマ順序を修正する。この場合には、図７におけるコマ順序３のコマのコマ順序を２に変更し、図７におけるコマ順序４のコマのコマ順序を３に変更し、図７におけるコマ順序６のコマのコマ順序を４に変更する。
【００６７】
なお、コマ境界の増加、削除において、増加するコマ境界及び削除するコマ境界を他のコマ境界と識別可能に表示させてもよい。これにより、どのコマ境界が増加されるか及びどのコマ境界が削除されるかをユーザが把握することができる。
【００６８】
（３）コマ境界の修正
選択されたコマがダブルクリックされると、オーサリング部１０は、頂点の数や座標の補正入力の受け付けを行う。これにより、コマの形状や大きさを補正することができる。
【００６９】
選択されたコマがダブルクリックされると、図９に示すように、コマ境界の修正画面が表示される。コマは３個以上の頂点を有する多角形で表現され、コマ境界は３個以上の頂点と頂点を結ぶ線とで表現される。図９においてはコマが正方形であるため、正方形の各頂点と辺の略中央の合計８個の頂点が表示される。
【００７０】
ユーザが操作部１２を介してコマ境界の所望の位置をダブルクリック等して指示を入力すると、その位置に頂点が追加される。また、ユーザが操作部１２を介して所望の頂点をダブルクリック等して指示を入力すると、その頂点が削除される。
【００７１】
ユーザが操作部１２を介して所望の頂点をドラッグすると、図９に示すように頂点が移動され、コマ境界の形状が修正される。この動作を繰り返すことにより、コマ境界の形状や大きさを変更することができる。
【００７２】
（４）コマ順序の修正
オーサリング部１０は、操作部１２を介してコマ順序を示す番号上がダブルクリックされると、そのコマ順序の修正を受け付けるようにし、その後に操作部１２により入力された番号をコマ順序として修正する。これにより、自動解析されたコマ順序が誤っている場合にコマ順序を修正することができる。
【００７３】
このようにしてコマ設定が行われたら、オーサリング部１０は、それに合わせて情報ファイルのコマ情報を修正する。また、オーサリング部１０は、コマ設定後に登録画面の表示が指示されると、一覧Ｌの「koma」にコマ数が入力されたものをモニタ１５に表示する。図６に示す結果が設定された場合には、図４に示すようにファイルＩＤが１の「koma」に５が入力される。
【００７４】
以上によりコマ設定が行われた（ステップＳ４）ら、オーサリング部１０は、元のコンテンツ画像とステップＳ３で自動解析されたコンテンツ画像の吹き出しの抽出結果とを並べてモニタ１５に表示し、操作部１２を介して吹き出しの抽出結果の補正入力を受け付け、その結果に基づいて吹き出し設定を行う（ステップＳ５）。
【００７５】
ステップＳ５の処理について詳細に説明する。図１０は、図３に示すコンテンツ画像（ファイルＩＤ：１、ファイル名：ヤキソバ＿００３）の自動解析による吹き出しの抽出結果である。実際は図３に示すコンテンツ画像と図１０に示す吹き出し抽出結果とが並べてモニタ１５に表示されが、図１０に示す吹き出し抽出結果のみが表示されてもよい。オーサリング部１０は、情報ファイルに基づいて吹き出し抽出結果を表示する。オーサリング部１０は、抽出された吹き出しを塗りつぶした画像をモニタ１５に表示することで、抽出された吹き出しとその他の領域とを認識可能とする。図１０においては、吹き出し領域を示す画像としてハッチングにより抽出された吹き出しを塗りつぶした画像を示しているが、吹き出し領域を示す画像として吹き出しの外周縁を太く描画する等した画像を表示するようにしてもよい。
【００７６】
（１）吹き出しの追加
図１０に示す抽出結果では、左下の吹き出しＸの境界線の一部が途切れているため、自動的に検出されていない。まず、ユーザが操作部１２を介して境界線の途切れている部分を連結して閉領域とする。その後、ユーザが操作部１２を介して閉領域を選択して認識を指示すると、オーサリング部１０が自動的に選択された閉領域を吹き出しと認識する。その結果、図１１に示すように、吹き出しＸについてもハッチングが表示され、他の吹き出しと同様に吹き出しとして設定される。
【００７７】
（２）吹き出しの削除
風船Ｙは閉領域であるため、図１２に示す抽出結果では、風船Ｙが吹き出しではないにもかかわらず吹き出しとして抽出されている。これは、風船Ｙ内の文字をテキストとご認識することにより発生する。ユーザが操作部１２を介して風船Ｙを選択すると、オーサリング部１０が自動的に選択された閉領域（この場合は、風船Ｙの内側）を吹き出しから削除する。その結果、図１３に示すように、風船Ｙからハッチングが消去される。
【００７８】
（３）吹き出し領域が綺麗に検出されていない場合の補正
図１４に示す抽出結果では、吹き出しＺの右上の一部が抽出されていない。これは、図１５の１点鎖線で示すように吹き出し内の文字が境界線に近かったり接していたりする場合や、図１５の２点鎖線で示すように吹き出し内の文字同士が近かったり接していたりする場合に発生する。
【００７９】
図１６は、図１４の吹き出しＺの抽出結果の拡大図であり、図１７は、図１６の中から文字を削除した図である。図１７に示すように、吹き出しＺは、境界線の一部が文字と連結されており（図１７ａ）、また文字の一部が吹き出し外になってしまっている（図１７ｂ）。したがって、ユーザが操作部１２を介して吹き出し内の閉じた領域ｂを選択すると、図１８に示すようにオーサリング部１０が自動的に閉じた領域ｂ（図１７参照）を吹き出しとする。また、図１８に示すようにユーザが操作部１２を介して吹き出しの境界線ｃを追加すると、図１９に示すようにオーサリング部１０が自動的に境界線ｃ（図１８参照）により生成された閉じた領域を吹き出しとする。この結果、図１９に示すように、綺麗に検出されていなかった吹き出しが正確に抽出される。
【００８０】
このようにして吹き出しの抽出結果の補正入力が行われたら、オーサリング部１０は、それに合わせて情報ファイルの吹き出し情報を修正する。
【００８１】
以上により吹き出し設定が行われた（ステップＳ５）ら、オーサリング部１０は、元のコンテンツ画像とステップＳ３で自動解析されたコンテンツ画像のテキスト認識結果とを並べてモニタ１５に表示し、操作部１２を介してテキストの認識結果の補正入力を受け付け、その結果に基づいてテキスト設定を行う（ステップＳ６）。
【００８２】
ステップＳ６の処理について詳細に説明する。図２０は、図３に示すコンテンツ画像（ファイルＩＤ：１、ファイル名：ヤキソバ＿００３）の自動解析によるテキスト認識結果である。実際は図３に示すコンテンツ画像と図２０に示す認識結果とが並べてモニタ１５に表示されが、図２０に示すテキスト認識結果のみが表示されてもよい。オーサリング部１０は、情報ファイルに基づいてテキストの抽出結果を表示する。オーサリング部１０は、テキスト領域の外周縁を太く描画する画像をモニタ１５に表示することで、テキスト領域とその他の領域とを認識可能とする。図２０においては、テキスト領域を示す画像としてテキスト領域の外周縁を太く描画した画像を示しているが、テキスト領域を示す画像としてテキスト領域を半透明に塗りつぶした画像等を表示するようにしてもよい。半透明に塗りつぶすことでユーザがテキストを認識できるようにする。
【００８３】
（１）テキストの追加
図２０においては、手書き文字からなるテキスト「え？」が認識されていない。ユーザが操作部１２を介して「え？」を囲んで認識を指示すると、オーサリング部１０が「え？」を囲む閉領域をテキスト領域と認識する。その結果、図２１に示すように、「え？」についてもテキスト領域として設定され、テキスト領域情報が取得される。
【００８４】
テキスト領域が設定されたら、オーサリング部１０の光学式文字読取装置により文字データが特定される。文字データが特定できなかった場合には、オーサリング部１０はユーザに入力を促し、ユーザが操作部１２を介して文字を入力する。これにより、テキストの内容に関する情報が取得される。
【００８５】
このようにしてテキストの抽出結果の補正入力が行われたら、オーサリング部１０は、それに合わせて情報ファイルのテキスト情報を修正する。
【００８６】
（２）テキストの削除
間違ってテキスト領域が認識されている場合には、ユーザが操作部１２を介して誤ったテキスト領域上の所望の位置を選択して認識を指示すると、オーサリング部１０が自動的に情報ファイルから選択されたテキスト領域を削除する。オーサリング部１０は、削除されたテキスト領域のテキストの内容に関する情報も情報ファイルから合わせて削除する。
【００８７】
テキスト設定（ステップＳ６）が終了したら、オーサリング部１０は、元のコンテンツ画像から関心領域（以下、ＲＯＩという）を自動抽出する（ステップＳ７）。ＲＯＩは、電子書籍ビューワ２で必ず表示したいものを示し、コンテンツ画像の基となるコミックのキャラクタの顔（又は顔に相当する領域）である。なお、キャラクタは人間だけでなく、動物、電話、パソコン、電子機器、ロボットなどの非生物も含まれる。
【００８８】
オーサリング部１０は、公知の画像解析技術、例えば顔検出の手法を用いてキャラクタの顔を自動的に検出する顔検出手段を有し、顔検出手段はコンテンツ画像からキャラクタの顔を検出する。オーサリング部１０は、検出された顔を囲む多角形領域を関心領域として設定する。また、動物、建築物、自動車その他の物体のコンテンツの要素の位置、サイズ、種類は、公知の画像解析技術を用いて、それらの画像情報に関する特徴量に基づき自動検出されてもよい。
【００８９】
また、オーサリング部１０は、関心領域（ＲＯＩ）に関する情報である関心領域情報を情報ファイルに記憶する。関心領域情報は、ＲＯＩの各頂点の座標、ＲＯＩの形状、ＲＯＩの外周縁を示すベクトルデータであっても良い。また、関心領域情報には、ＲＯＩに含まれるキャラクタに関する情報（例えば、自動的につけられたキャラクタＩＤ）がさらに含まれる。また、関心領域情報には、優先順位、表示に当っての重要度、キャラクタの識別情報（名称など）、キャラクタの属性（性別、年齢など）が含まれても良い。
【００９０】
ＲＯＩの自動抽出（ステップＳ７）が終了したら、オーサリング部１０は、ＲＯＩ抽出結果の補正入力を受け付け、この結果に基づいてＲＯＩ設定を行う（ステップＳ８）。
【００９１】
ステップＳ８の処理について詳細に説明する。図２２は、図３に示すコンテンツ画像（ファイルＩＤ：１、ファイル名：ヤキソバ＿００３）の自動解析によるＲＯＩ抽出結果である。実際は図３に示すコンテンツ画像と図２２に示す認識結果とが並べてモニタ１５に表示されが、図２２に示すＲＯＩ抽出結果のみが表示されてもよい。オーサリング部１０は、情報ファイルに基づいてＲＯＩ抽出結果を表示する。オーサリング部１０は、ＲＯＩの外周縁を太く描画する画像をモニタ１５に表示することで、ＲＯＩとその他の領域とを認識可能とする。図２２においては、ＲＯＩを示す画像としてＲＯＩの外周縁を太く描画した画像を示しているが、ＲＯＩ域を示す画像としてＲＯＩを半透明に塗りつぶした画像等を表示するようにしてもよい。半透明に塗りつぶすことでユーザがキャラクタを認識できるようにする。
【００９２】
（１）ＲＯＩの追加
図２２においては、キャラクタは男性Ｍと女性Ｆとを含むが、横を向いている男性Ｍのうち左向きの顔Ｃが認識されていない。ユーザが操作部１２を介して横を向いている男性Ｍの左向きの顔Ｃ上の所望の位置を選択して認識を指示すると、オーサリング部１０が指示された位置を含む閉領域をＲＯＩと認識する。また、オーサリング部１０は、それに合わせて情報ファイルの関心領域情報を修正する。その結果、図２３に示すように、男性Ｍの左向きの顔ＣにＲＯＩを示す画像が表示される。
【００９３】
（２）ＲＯＩの削除
誤ってＲＯＩが抽出された場合には、ユーザが操作部１２を介して誤ったＲＯＩ上の所望の位置を選択して認識を指示すると、オーサリング部１０が自動的に情報ファイルから選択された関心領域情報を削除する。これにより、誤ったＲＯＩを示す画像がモニタ１５条から削除される。
【００９４】
ＲＯＩ設定（ステップＳ８）が終了したら、オーサリング部１０は、ＲＯＩと吹き出しとを関連付けるペアリングを行う（ステップＳ９）。ペアリングは、吹き出しの台詞（吹き出し及びテキスト）と、その発生源（ＲＯＩ）とを関連付けるものである。
【００９５】
図２４は、ステップＳ５〜Ｓ７で吹き出し、テキスト及びＲＯＩが設定された結果を示す。図２４には、吹き出しとして吹き出しｉ〜ｘｉｉが含まれ、ＲＯＩとして女性Ｆ（Ｆ１〜Ｆ３）、男性Ｍ（Ｍ１〜Ｍ４）が含まれる。女性Ｆ１〜Ｆ３は全て同一人物（女性Ｆ）であるが、説明の便宜上女性Ｆ１〜Ｆ３とした。同様に、男性Ｍ１〜Ｍ４も全て同一人物（男性Ｍ）であるが、説明の便宜上男性Ｍ１〜Ｍ４とした。
【００９６】
手動でペアリングを行う方法について説明する。オーサリング部１０は、情報ファイルに基づいてステップＳ５、Ｓ７で設定された吹き出し及びＲＯＩを選択可能な状態でコンテンツ画像をモニタ１５に表示する。ユーザが操作部１２を介して所定の吹き出しとＲＯＩとを１つずつ選択すると、オーサリング部１０はそれを認識し、これらをペアとして設定する。吹き出しｉは女性Ｆ１が話しているため、操作部１２を介して吹き出しｉと女性Ｆ１とが選択されると、オーサリング部１０は、自動的に吹き出しｉと女性Ｆ１とをペアと認識し、吹き出しｉと女性Ｆ１とをペア１に設定する。同様に、操作部１２を介して吹き出しｉｉと男性Ｍ１とが選択されると、オーサリング部１０は、自動的に吹き出しｉｉと男性Ｍ１とをペアと認識し、吹き出しｉｉと男性Ｍ１とをペア２に設定する。このようにして全ての吹き出しについてペアリングを行われると、オーサリング部１０は、ペアリングの結果を情報ファイルに記憶させる。
【００９７】
次に、まずオーサリング部１０が自動でペアリングを行い、手動で修正する方法について説明する。オーサリング部１０は、情報ファイルに基づいて隣接するＲＯＩと吹き出しとを自動的にペアリングする。図２４に示す場合においては、吹き出しｉと女性Ｆ１とをペア１に設定し、吹き出しｉｉと男性Ｍ１とをペア２に設定し、吹き出しｉｉｉと男性Ｍ２をペア３に設定し、吹き出しｉｖと男性Ｍ２をペア４に設定し、吹き出しｖと女性Ｆ２をペア５に設定し、吹き出しｖｉと女性Ｆ２をペア６に設定し、吹き出しｖｉｉと男性Ｍ３をペア７に設定し、吹き出しｖｉｉｉと男性Ｍ３をペア８に設定し、吹き出しｉｘと男性Ｍ３をペア９に設定し、吹き出しｘと男性Ｍ４をペア１０に設定し、吹き出しｘｉと女性Ｆ３をペア１１に設定し、吹き出しｘｉｉと女性Ｆ３をペア１２に設定する。
【００９８】
オーサリング部１０は、このようにペアリングした結果を情報ファイルに記憶させ、情報ファイルに基づいてペアリング結果を認識可能にした状態でコンテンツ画像をモニタ１５に表示する。例えば、ペア同士を点線で囲んだ画像をコンテンツ画像に重ねて表示させる。
【００９９】
ユーザが操作部１２を介して所定のペア同士を点線で囲んだ画像を選択すると、オーサリング部１０は、そのペアに関する修正を受け付ける。図２４に示す例においては、吹き出しｘｉは女性Ｆ３ではなく、男性Ｍ４とペアリングすべきである。したがって、ペア１１について修正を行う必要がある。ユーザが操作部１２を介してペア１１をダブルクリック等するとペア１１の編集が可能となり、吹き出しｘｉと男性Ｍ４とを選択されると、オーサリング部１０は、吹き出しｘｉと男性Ｍ４とをペア１１に再設定し、情報ファイルを修正する。
【０１００】
オーサリング部１０は、修正された情報ファイルに基づいてペアリング結果を認識可能にした状態でコンテンツ画像をモニタ１５に表示する。その結果、図２５に示すようにペア１１が修正された結果がモニタ１５上で確認される。
【０１０１】
ペアリングに番号をつけても良い。オーサリング部１０は、右上にある吹き出しのペアリングから順に番号をつけても良いし、操作部１２からの入力に基づいて番号をつけても良い。この番号は、吹き出しの表示順序を兼ねてもよい。
【０１０２】
最後に、オーサリング部１０は、ステップＳ４〜Ｓ９で更新された情報ファイルとコンテンツ画像とにより構成されるマスタデータをＤＢ１１に保存する（ステップＳ１０）。
【０１０３】
図２６は、マスタデータの構造を示す図である。本実施の形態では、コミック毎に情報ファイルを有するため、情報ファイルには複数のページ情報が含まれる。各ページ毎に、まずページ情報があり、ページ情報に関連付けてコマ情報があり、コマ情報に関連付けて吹き出し情報（テキスト情報）と関心領域情報がある。なお、情報ファイルは、コミック毎ではなく、各ページ毎に生成するようにしてもよい。
【０１０４】
マスタデータを生成することで、電子書籍ビューワに合わせた編集、テキストの自動翻訳、翻訳編集及び共有、電子書籍ビューワにおける適切な表示処理などが可能となり、電子書籍の供給が容易となる。
【０１０５】
なお、本実施の形態では、オーサリング部１０はコンテンツ画像を取得して、コマ情報、吹き出し情報、テキスト情報等が記憶されたマスタデータを生成したが、オーサリング部１０は各種情報が記憶された情報ファイルを有するマスタデータ（図２のステップＳ２で生成されたマスタデータに相当）を取得し、ステップＳ３〜Ｓ１０の処理を行って最終的なマスタデータをＤＢに保存しても良い。また、オーサリング部１０はコマ、吹き出し、テキストの自動抽出が行われ、コマ情報、吹き出し情報、テキスト情報が記憶された情報ファイルを有するマスタデータ（図２のステップＳ３で生成されたマスタデータに相当）を取得し、ステップＳ４〜Ｓ１０の処理を行って最終的なマスタデータをＤＢに保存しても良い。
【０１０６】
（Ｂ）マスタデータ編集処理
図２７は、電子書籍ビューワに合わせた編集を行う表示画面を示す。オーサリング部１０は、コンテンツ画像をモニタ１５に表示する。オーサリング部１０は、情報ファイルに基づいて各コマのコマ境界を太線で表示する。また、各コマの略中央にはコマの読み順を示すコマ順序が表示される。なお、コマ順序の表示はこれに限られず、コマの隅に表示するようにしてもよい。
【０１０７】
また、オーサリング部１０は、ＤＢ１１等から電子書籍ビューワ２の画面サイズを取得し、電子書籍ビューワ２の画面サイズの情報と情報ファイルとの情報に基づいて電子書籍ビューワ２の画面サイズを示す枠Ｆをコンテンツ画像に重ねて表示する。ユーザが操作部１２を介して枠Ｆを左右上下に移動させる指示を入力すると、オーサリング部１０は操作部１２の指示に応じて枠Ｆを左右上下に移動させる。
【０１０８】
また、オーサリング部１０は、電子書籍ビューワ２の画面サイズの情報と情報ファイルとの情報に基づいて各コマを全て表示するのに必要な最小の表示回数、すなわちスクロール数が何回であるかを求め、その情報（マーカ）をコンテンツ画像に重ねて表示する。本実施の形態ではマーカは各コマの略中央に表示されるため、図２７においてはコマ順序はマーカに重ねて表示されている。
【０１０９】
図２７においては、矩形形状のマーカでスクロール数を表現している。スクロール数が１回の場合には、図２７のコマ順序が３、４のコマのように、一辺の長さがａの正方形のマーカが表示される。スクロール数が２回以上の場合には、一辺の長さがａの整数倍となる矩形形状のマーカが表示される。垂直方向のスクロール数がｎ回、水平方向のスクロール数がｍ回の場合には、縦横サイズがｎａ×ｍａの矩形形状のマーカが表示される。図２７のコマ順序が１、２、６、７においては、横のスクロール数が２回、縦のスクロール数が１回であるため、横が２ａ、縦がａの長方形のマーカが表示される。このようなマーカを表示することで、各コマに枠Ｆを重ねることなく、マーカを見るだけでスクロール回数を把握することができる。
【０１１０】
ユーザは、このようにしてモニタ１５に表示された画像を見ながらコマ境界を移動させる。図２８に示すように、ユーザが操作部１２を介してコマ境界をダブルクリック等すると、オーサリング部１０は、コマ境界に頂点を表示させてコマ境界を編集可能とする。ステップＳ４（図９）と同様にユーザが操作部１２を介して所望の頂点をドラッグすると、頂点が移動され、コマ境界の形状が修正される。この動作を繰り返すことにより、コマ境界の形状（例えば５角形から矩形へ変更）や大きさを変更することができる。また、頂点の追加、削除も可能である。頂点の追加、削除はステップＳ４と同じであるため、説明を省略する。
【０１１１】
また、オーサリング部１０は、電子書籍ビューワ２の画面サイズの情報と情報ファイルとの情報に基づいて、コマのサイズが電子書籍ビューワ２の画面サイズよりわずかに大きい場合には、電子書籍ビューワ２の画面サイズよりわずかに大きいコマのコマ境界を他のコマ境界とは異なる色で表示する。コマの縦横のサイズが電子書籍ビューワ２の画面サイズよりわずかに大きい場合とは、例えば、電子書籍ビューワ２の画面サイズの略１０％を閾値とし、コマの辺の長さが電子書籍ビューワ２の画面サイズより１０％程度大きい場合等が考えられる。図２７においては、コマ順序５のコマのコマ境界が他のコマ境界とは異なる色で表現されている。
【０１１２】
電子書籍ビューワ２の画面サイズよりわずかに大きいコマの場合には、コマの重要でない部分をコマに含まれないとして見せないようにするだけで、スクロール回数を１回にして、視認性を向上させることができる。図２９に示すように、枠Ｆよりわずかに大きいコマ順序５のコマのコマ境界の位置を変え、スクロール数が１となるようにコマの形状を変える。図２９においては、コマ順序５のコマの左端の一部をコマに含まれないようにコマを細くすることでスクロール数を１にしている。
【０１１３】
このようにしてスクロール数が変更されたら、オーサリング部１０は、これを検出し、情報ファイルを書きかえる。また、オーサリング部１０は、マーカの大きさをａ×ａに変更し、コマ順序５のコマのコマ境界の色を他のコマの色を同じ色に変更する。
【０１１４】
コマ境界の削除、追加も可能である。コマ境界の追加、削除はステップＳ４と同じであるため説明を省略する。例えば所定のコマが選択された状態で、ユーザが操作部１２を介してそのコマの所定のコマ境界を選択すると、選択されたコマが削除される。例えばコマの大きさが小さく、枠Ｆに２個のコマが含まれる場合等には、コマを１つにすることで効率のよい表示が可能となる。
【０１１５】
オーサリング部１０は、プレビュー画面をモニタ１５に表示させることもできる。図３０はプレビュー画面の一例である。オーサリング部１０は、コンテンツ画像をモニタ１５に表示し、電子書籍ビューワ２の画面サイズを示す枠Ｆをコンテンツ画像に重ねて表示する。そして、オーサリング部１０は、枠Ｆの外側を半透明に塗りつぶし、枠Ｆの内側のみが視認可能なプレビュー画面とする。枠Ｆの外側を半透明に塗りつぶす場合に限らず、枠Ｆの外側をグレー表示にしても良い。
【０１１６】
ユーザが操作部１２を介して指示すると、オーサリング部１０は枠Ｆをスクロールして次のプレビュー画面を表示する。現在プレビュー中のコマが全てプレビューされていない場合には、オーサリング部１０は、現在プレビュー中のコマが全てプレビューされるように枠Ｆを移動させて、枠Ｆの外側を半透明表示する。図３０に示す例においては、枠Ｆをｔだけ左側に移動させる。
【０１１７】
現在プレビュー中のコマが全てプレビューされている場合には、オーサリング部１０は、次のコマ順序のコマの右端と枠Ｆの右端とを一致させるように枠Ｆを移動させて、枠Ｆの外側を半透明表示する。
【０１１８】
これにより、電子書籍ビューワ２での見え方を確認することができる。したがって、より適切なマスタデータ編集をすることができる。
【０１１９】
なお、マスタデータ編集処理は、オーサリング部１０がマスタデータを生成した場合に限らず、外部の電子コミック生成装置により生成されたマスタデータをサーバ１のＤＢ１１に保存して、それを編集するようにしてもよい。
【０１２０】
この実施形態では、電子書籍のコンテンツを配信するサーバにより電子コミックのマスタデータを作成編集するようにしているが、このマスタデータを作成する装置は、コンテンツを配信するサーバとは別の電子コミック編集装置であってもよい。また、この電子コミック編集装置は、本発明に係る電子コミック編集プログラムが記録された記録媒体を介して該電子コミック編集プログラムを、汎用のパーソナルコンピュータにインストールすることにより構成することができる。
【０１２１】
また、上記のように作成編集されたマスタデータは、各種の携帯端末からの配信要求に応じてサーバ（配信サーバ）から配信されるが、この場合、配信サーバは、携帯端末の機種情報を取得し、マスタデータをその機種（画面サイズ等）での閲覧に適したデータに加工して配信してもよいし、マスタデータをそのまま配信してもよい。尚、マスタデータをそのまま配信する場合、携帯端末側のビューワソフトでマスタデータをその携帯端末に適したデータに変換して閲覧可能にする必要があるが、マスタデータには前述したように情報ファイルが含まれているため、ビューワソフトは情報ファイルに記述された情報を利用して携帯端末にコンテンツを表示させることができる。
【０１２２】
更に、本発明は上述した実施の形態に限定されず、本発明の精神を逸脱しない範囲で種々の変形が可能であることは言うまでもない。
【符号の説明】
【０１２３】
１：サーバ、２：電子書籍ビューワ、１０：オーサリング部、１１：データベース（ＤＢ）、１２：操作部、１３：入出力部、１４：スキャナ、１５：モニタ、２１：データベース（ＤＢ）、２４：表示部、２５：コンテンツ表示制御部、２６：音声再生部、２７：操作部、２８：スピーカ、２９：入出力部
【図１】
0005439454.tif 000002
【図２】
0005439454.tif 000003
【図３】
0005439454.tif 000004
【図４】
0005439454.tif 000005
【図５】
0005439454.tif 000006
【図６】
0005439454.tif 000007
【図７】
0005439454.tif 000008
【図８】
0005439454.tif 000009
【図９】
0005439454.tif 000010
【図１０】
0005439454.tif 000011
【図１１】
0005439454.tif 000012
【図１２】
0005439454.tif 000013
【図１３】
0005439454.tif 000014
【図１４】
0005439454.tif 000015
【図１５】
0005439454.tif 000016
【図１６】
0005439454.tif 000017
【図１７】
0005439454.tif 000018
【図１８】
0005439454.tif 000019
【図１９】
0005439454.tif 000020
【図２０】
0005439454.tif 000021
【図２１】
0005439454.tif 000022
【図２２】
0005439454.tif 000023
【図２３】
0005439454.tif 000024
【図２４】
0005439454.tif 000025
【図２５】
0005439454.tif 000026
【図２６】
0005439454.tif 000027
【図２７】
0005439454.tif 000028
【図２８】
0005439454.tif 000029
【図２９】
0005439454.tif 000030
【図３０】
0005439454.tif 000031